(57)【要約】  本発明に係る金属製カードワイヤ（１００）は、リブ部（１１０）と複数の歯（１１５）とを含む。歯は、先端部分（１１７）、前方部（１２０）、後方部（１３０）、２つの側面（１４１、１４２）、及び相互接続部分（１５０）を有する。相互接続部分は、１つの歯の後方部と直前の歯の前方部とを接続する。前方部と後方部は先端部分で合併する。歯は、カードワイヤの長手方向に傾いている。前方部は、歯の長手方向に向かって歯が傾く側である。前方部は、アンダーカット部分（１６０）を含む。アンダーカット部分は、カードワイヤの前方部の一部分であり、アンダーカット部分中の、前方部に対する接線とカードワイヤの長手方向との間の角は、アンダーカット部分と先端部分との間の領域中の、前方部に対する接線とカードワイヤの長手方向との間の角よりも小さい。歯の少なくとも１つの側面は、歯の側面に対する繊維の摩擦力を増大させるための少なくとも第１の構造要素を含む。少なくとも第１の構造要素の位置は、アンダーカット部分の位置と比較して、より先端部分に近い。
2017519116.tif 000002
【特許請求の範囲】
【請求項１】
リブ部と複数の歯とを含み、
前記歯は、先端部分、前方部、後方部、２つの側面、及び相互接続部分を有し、
前記相互接続部分は、１つの歯の後方部と直前の歯の前方部とを接続し、
前記先端部分で前記前方部と前記後方部とが合併し、
前記歯は、カードワイヤの長手方向に傾いており、
前記前方部は、前記歯の長手方向に向かって歯が傾く側であり、
前記前方部は、アンダーカット部分を含み、
前記アンダーカット部分は、カードワイヤの前記前方部の一部分であり、前記アンダーカット部分中の、前記前方部に対する接線とカードワイヤの長手方向との間の角は、前記アンダーカット部分と前記先端部分との間の領域中の、カードワイヤの前記前方部に対する接線とカードワイヤの長手方向との間の角よりも小さく、
前記歯の少なくとも１つの側面は、前記歯の側面に対する繊維の摩擦力を増大させるための少なくとも第１の構造要素を含み、少なくとも第１の構造要素の位置は、前記アンダーカット部分の位置と比較して、より前記先端部分に近い、ことを特徴とする金属製カードワイヤ。
【請求項２】
少なくとも第１の構造要素は、前記歯の側面中の窪み部を含むことを特徴とする請求項１に記載の金属製カードワイヤ。
【請求項３】
前記窪み部は、溝部であることを特徴とする請求項２に記載の金属製カードワイヤ。
【請求項４】
前記窪み部の最大深さは、０．０３ｍｍよりも深いことを特徴とする請求項２または３に記載の金属製カードワイヤ。
【請求項５】
少なくとも第１の構造要素は、前記歯の側面からの１つまたは複数の突出部を含むことを特徴とする請求項１から４のいずれか１項に記載のカードワイヤ。
【請求項６】
前記突出部は、隆起部であることを特徴とする請求項５に記載のカードワイヤ。
【請求項７】
前記突出部の最大高さは、０．０３ｍｍよりも高いことを特徴とする請求項５または６に記載のカードワイヤ。
【請求項８】
前記後方部は、カードワイヤの長手方向と後方角をなす接線を有し、
前記前方部の前記アンダーカット部分の上方の領域は、前記リブ部と先端角をなす接線を有し、
前記アンダーカット部分は、繊維を保持する機能を有し、
前記アンダーカット部分は、カードワイヤの長手方向と間の角であるアンダーカット角をなす接線を有し、
前記アンダーカット角は、回転式打ち抜き加工を可能にするために、前記アンダーカット部分の各点で、前記後方角の最大値よりも大きく、かつ、前記先端角の最小値よりも小さい、ことを特徴とする請求項１から７のいずれか１項に記載の金属製カードワイヤ。
【請求項９】
前記前方部は、少なくとも３つの部分を含み、
第１の部分は、前記歯の前記先端部分から前記リブ部の方向に延び、
第２の部分は、前記第１の部分の下方で前記リブ部の方向に延び、前記第２の部分は、前記アンダーカット部分を有し、
前記第２の部分は、直線部と曲線部を含み、前記直線部は、０．１０ｍｍの最小長さを有し、前記直線部は、カードワイヤの長手方向に対して１０度と３０度の間の角度を有し、前記直線部には前記リブ部の方向に前記曲線部が続いており、前記曲線部は、少なくとも０．１８ｍｍの半径を有し、
前記前方部は、前記第２の部分から前記相互接続部分までの第３の部分を含む、ことを特徴とする請求項１から７のいずれか１項に記載の金属製カードワイヤ。
【請求項１０】
前記アンダーカット部分は、金属製カードワイヤの前記前方部の凸部の底部であることを特徴とする請求項１から７のいずれか１項に記載の金属製カードワイヤ。
【請求項１１】
前記後方部は、凸部を含むことを特徴とする請求項１から１０のいずれか１項に記載の金属製カードワイヤ。
【請求項１２】
前記歯の一方または両方の側面は、前記アンダーカット部分の高さ及び／または前記アンダーカット部分の下方に、１つまたは複数の追加の構造要素を含むことを特徴とする請求項１から１１のいずれか１項に記載の金属製カードワイヤ。
【請求項１３】
前記歯の側面は、その表面にわたって、研磨粒子を用いたブラスト加工によって生じるような艶消しの外観を有することを特徴とする請求項１から１２のいずれか１項に記載の金属製カードワイヤ。
【請求項１４】
前記歯の側面は、その表面にわたって、０．２μｍと０．３３μｍの間の表面粗さ値Ｒａを有することを特徴とする請求項１から１３のいずれか１項に記載の金属製カードワイヤ。
【請求項１５】
前記歯の先端の厚みは、０．２５ｍｍよりも小さいことを特徴とする請求項１から１４のいずれか１項に記載の金属製カードワイヤ。
【発明の詳細な説明】
【技術分野】
【０００１】
本発明は、繊維産業で使用されるカード機のローラに取り付けられる金属製カードワイヤ（メタリックカードワイヤ）に関する。
【背景技術】
【０００２】
カード（カード機）は、回転フラットカードであれ、ローラカードであれ、カードワイヤで覆われたローラを備えている。また、カードは、固定フラットまたは回転フラットのような、カードワイヤで覆われた更なるカーティング要素を備えている場合もある。カードが担う作業は、繊維塊をより小さな繊維塊に、または、さらに個々の繊維にまで引き裂くことによって、繊維塊を開繊することである。これは、複数の一連のステップによって達成され、これらの各ステップには、カードワイヤで覆われた２つの物体の間での相対運動が伴う。第１の物体のカードワイヤの１つまたは複数の歯によって保持される繊維塊は、第２の物体のカードワイヤの歯が、第１の物体上に保持される繊維塊から小さな繊維塊または個々の繊維を引き出すことによって、開繊される。このような物体は、ローラまたはフラットであってもよい。相互作用の例は、リッカインとリッカイン上に取付けられるカーディング部との間の相互作用、リッカインとシリンダとの間の相互作用、シリンダと回転フラットとの間の相互作用、シリンダとドッファとの間の相互作用、及び、ローラカードにおけるシリンダとウォーカとの間の相互作用である。
【０００３】
カーディングの目的は、カードワイヤで覆われた一連の複数対の物体の相互作用によって、線維塊の大きさを効果的かつ効率的に低減するか、または、さらに個々の繊維を得ることであり、また、カード機のカードワイヤで覆われたローラからカードワイヤで覆われた次のローラへ効果的に繊維を移行させることである。
【０００４】
特に、回転フラットカード及び／またはローラカードのウォーカ及びドッファについては、金属製カードワイヤの幾つかの形状が提案されてきた。例えば、米国特許出願公開第２００４／０１２８８００号により、カードワイヤの歯の一側または両側に縦長の溝部または外向きの縦長の隆起部を備えたカードワイヤを使用することが知られている。
【０００５】
国際公開第００／０２６４５０号には、カードワイヤの張り出した部分を有する歯の前面または内面上に１つまたは複数のアンダーカットを形成することによって、繊維取得能力を増強させたカードワイヤが記載されている。このアンダーカットは、好ましくは、ワイヤの長手方向と略平行な部分を含む。
【０００６】
国際公開第２０１１／１３８３２２号には、リブ部とリブ部の長さにわたる複数の歯とを含むカードワイヤが記載されている。この歯は、歯の背柱に相当する後方傾斜部と、繊維と直接接触する側に相当する前方傾斜部とを備えるように傾斜が付けられている。後方傾斜部は、リブ部分と後方角をなす接線を有する。前方傾斜部は、少なくとも２つの部分に区分され、先端部分は、後方傾斜部へと収束して歯の先端を形成する。先端部分は、繊維の間に突き通るように機能する。先端部分は、リブ部と先端角をなす接線を有する。アンダーカット部分は、繊維を保持し、リブ部とアンダーカット角をなす接線を有する。アンダーカット部分の各箇所におけるアンダーカット角は、後方角の最大値よりも大きく、先端角の最小値よりも小さい。このようなカードワイヤの利点は、回転式打ち抜き加工によって製造できる点である。国際公開第２０１１／１３８３２２号には、カードワイヤは、繊維保持能力を増強させるため、アンダーカット部分またはアンダーカット部分の下方に、条溝（ワイヤ形状の長手方向に沿った溝／筋）を備えるものであってもよいことが記載されている。
【０００７】
国際公開第２０１２／０１９８４１号には、細長リブ部と歯とを含むカードワイヤが記載されている。この歯は、前方部と後方部を有する。歯は、前方部に向かって張り出している。前方部と後方部は、歯の先端で合併する。前方部は、少なくとも３つの部分を含む。第１の部分は、歯の先端からリブ部の方向に延びる。第２の部分は、第１の部分の下方にあり、リブ部の方向に延び、第３の部分は、第２の部分の端部からリブ部の方向に延びる。第２の部分は、直線部と曲線部を含んでおり、直線部は０．１０ｍｍの最小長さを有し、カードワイヤの長手方向に対して１０度と３０度の間の角度を有する。直線部には曲線部が続いており、曲線部は、少なくとも０．１８ｍｍの半径を有する。国際公開第００／０２６４５０号のカードワイヤと比較すると、国際公開第２０１２／０１９８４１号は、強度並びにカーティング作用によるカードワイヤの歯への繊維ローディングに対する疲労耐性が高いカードワイヤを提供するものである。国際公開第２０１２／０１９８４１号は、カードのローラに取り付けられると、６４５．１６ｍｍ２（１平方インチ）当たりの先端部の数を増大させたカードワイヤを提供する。国際公開第２０１２／０１９８４１号には、カードワイヤは、繊維保持能力を増強するため、アンダーカット部分またはアンダーカット部分の下方に条溝（ワイヤ形状の長手方向に沿った溝／筋）を備えるものであってもよいことが示されている。
【０００８】
国際公開第００／０２６４５０号、国際公開第２０１１／１３８３２２号、及び国際公開第２０１２／０１９８４１号は、歯の前部のアンダーカット部分という共通の特徴を有する。
【０００９】
米国特許第４６１２０８４号には、歯の鋭い縁部が丸められるように歯の縁部を処理することによって、金属製カードワイヤに対する繊維の付着を低減する方法が示されている。この改善には、金属製カードワイヤを化学バリ取り槽にさらすことによって金属製カードワイヤの歯を処理することが含まれており、歯の鋭い縁部は、化学バリ取りによって丸められる。
【発明の概要】
【発明が解決しようとする課題】
【００１０】
本発明の主な目的は、良好な繊維取得能力を有しながら、繊維ローディングが生じ難く、かつ機能寿命が長いアンダーカット部分を備えるカードワイヤを提供することである。ここで、繊維ローディングは、カードのカードワイヤ中への繊維の蓄積であって、カードの次のローラのカードワイヤによって取り除かれないかまたは取り除くことが困難なものとして定義することができる。繊維ローディングは、カーディングにおける品質及び生産性の問題の要因となる。繊維ローディングは、カードを停止して、カードワイヤを掃除することによってのみ、除去することができる。
【課題を解決するための手段】
【００１１】
本発明の第１の態様は、リブ部と複数の歯とを含む金属製カードワイヤである。歯は、先端部分、前方部、後方部、２つの側面、及び相互接続部分を有する。相互接続部分は、１つの歯の後方部と直前の歯の前方部とを接続する。先端部分で前方部と後方部とが合併する。歯は、カードワイヤの長手方向に傾いている。前方部は、歯の長手方向に向かって歯が傾く側である。前方部は、アンダーカット部分を含む。アンダーカット部分は、カードワイヤの前方部の一部分であり、アンダーカット部分中の、前方部に対する接線とカードワイヤの長手方向との間の角は、アンダーカット部分と先端部分との間の領域中の、前方部に対する接線とカードワイヤの長手方向との間の角よりも小さい。
【００１２】
アンダーカット部分は、カードワイヤで覆われた直前のローラから繊維を取得する機能を有しており、それによって、カーディング作用を増大させるものである。歯の少なくとも１つの側面（あるいは、歯の両方の側面）は、歯の側面に対する繊維の摩擦力を増大させるための少なくとも第１の構造要素を含む。少なくとも第１の構造要素の位置は、アンダーカット部分の位置と比較して、より先端部分に近い。アンダーカット部分中の、前方部に対する接線とカードワイヤの長手方向との間の各角度は、好ましくは、少なくとも３°、さらに好ましくは、少なくとも５°、さらに好ましくは、少なくとも１０°、さらに好ましくは、少なくとも１５°であり、アンダーカット部分と先端部分との間の領域中の、前方部に対する接線とカードワイヤの長手方向との間の角度の最小値よりも小さい。
【００１３】
上記の記載が暗黙的に示すように、金属製カードワイヤの歯のアンダーカット部分は、カードワイヤの先端から特定の距離の位置に形成される。繊維は、先端部分からこの距離にあるアンダーカット部分によって保持されるため、アンダーカット部分によって取得された繊維が、このアンダーカット部分から繊維を取得すべきカードワイヤによって取得され得ない危険性が存在し、この結果、繊維ローディングの危険性が生じる。
【００１４】
先行技術から、歯の１つまたは複数の側面の構造要素は、繊維取得能力を高め、その結果、カードワイヤの繊維ローディングの危険性を増大させることが知られている。したがって、当業者が、前方部にアンダーカット部分を有するカードワイヤの繊維ローディングを低減する問題に対峙したとき、繊維取得のための構造要素をカードワイヤへ追加することを考慮しようとはしないたろう。むしろ、当業者は、繊維の取得と繊維ローディングの要因であるアンダーカット部分を修正するだろう。
【００１５】
しかしながら、驚くべきことに、金属製カードワイヤの少なくとも１つの側面に、歯の側面に対する繊維の摩擦力を増大させるための少なくとも第１の構造要素が存在し、この構造要素の位置が、アンダーカット部分の位置と比較して、より先端部分に近いことによって、金属製カードワイヤの繊維ローディングの危険性は低減する。本発明に係るカードワイヤのこの驚くべき効果は、幾つかの相乗効果によって生じるものと考えられる。アンダーカット部分よりも先端部分の近くに配置された構造要素は、それ自体が繊維を取得する。この結果、この構造要素は、アンダーカット部分の繊維取得能力を低減させる。この構造要素は、繊維が存在し、かつ繊維が取得される直前のローラ上のカードワイヤと相互作用する。この構造要素の繊維取得能力はアンダーカット部分よりも低い。この構造要素は、それ自体多数の繊維を取得するが、そのうちの幾らかは、繊維が存在していたカードワイヤによって直ちに取り戻される。しかしながら、本発明に係るカードワイヤでは、構造要素の存在及びその位置のため、繊維は平均して高い位置に存在し、これによって、カードの次のローラによる繊維の取得が促進される。この結果、本発明に係るカードワイヤは、良好な繊維取得能力を有しながら、カードワイヤの繊維ローディングの危険性が低減する。
【００１６】
本発明の好適な実施形態において、少なくとも第１の構造要素は、歯の側面中の窪み部を含む。好ましくは、少なくとも第１の構造要素は、歯の側面中の１つまたは複数の窪み部からなる。好ましくは、少なくとも第１の構造要素は、歯の側面の平面から盛り上がった部分を含まない。１つまたは複数の窪み部を含むかまたは１つまたは複数の窪み部からなる形状を有する構造要素には、相乗効果がある。窪み部は、ローラに巻き付けられたカードワイヤの２列の歯の間の自由空間の幅を減少させない。歯の側面から盛り上がった構造要素を含むかまたは歯の側面から盛り上がった構造要素からなる構造要素は、カードのローラ上のカードワイヤの列間の利用可能な自由空間を減少させ、ひいては、構造要素の繊維ローティングの低減効果を低下させる。
【００１７】
当業者は、歯の側面中の、アンダーカット部分と先端部分との間に、１つまたは複数の窪み部を含む（または、１つまたは複数の窪みからなる）構造要素を追加しようとはしないだろう。歯の刃は、（歯の先端に向かうに連れて小さくなるように形成されているため）、この位置において薄く、窪み部によってカードワイヤの強度が低下するおそれがある。国際公開第００／０２６４５０号の問題を解決する国際公開第２０１３／０３７７１１号に認められるように、カードワイヤの強度は重要である。歯の弱さは歯の破壊の要因となり、カードワイヤの機能性を低減させ、その結果、機能寿命が短縮される。
【００１８】
驚くべきことに、本実施形態に従うカードワイヤは、長い寿命を有することが分かった。この効果は、繊維ローティングの低減効果によるものと考えられる。繊維ローディングの低減により、繊維保持力が低下するため、カードワイヤ上の力も低下する。
【００１９】
好ましくは、窪み部は溝部であり、好ましくは、金属製カードワイヤの長手方向に沿って略一定の断面を備えている。
【００２０】
好ましくは、窪み部の最大深さは、０．０３ｍｍよりも深く、好ましくは、０．０５ｍｍよりも深い。
【００２１】
好ましくは、溝部の曲率半径の最小値は、少なくとも０．０５ｍｍであり、さらに好ましくは、少なくとも０．１０ｍｍであり、さらに好ましくは、少なくとも０．１５ｍｍである。このような特徴は、繊維ローディングを低減させたカードワイヤの機能寿命に対して、歯中の応力が低下するため歯の強度が向上することによる、相乗効果を与えるものである。好適な一実施形態では、溝部は、その最も深い部分において、略平坦な部分を有する。
【００２２】
好適な一実施形態において、少なくとも第１の構造要素は、歯の側面からの１つまたは複数の突出部を含む。好ましくは、突出部は、隆起部であり、好ましくは、金属製カードワイヤの長手方向に沿って略一定の断面を備えている。好ましくは、隆起部の最大高さは、０．０３ｍｍよりも高く、好ましくは、０．０５ｍｍよりも高い。ここで、突出部の高さは、突出部が歯の側面の平面から延びる距離を意味する。
【００２３】
好適な一実施形態において、歯の後方部は、カードワイヤの長手方向と後方角をなす接線を有する。前方部のアンダーカット部分の上方の領域は、リブ部と先端角をなす接線を有する。アンダーカット部分は、繊維を保持する機能を有する。アンダーカット部分は、カードワイヤの長手方向との間の角であるアンダーカット角をなす接線を有する。アンダーカット角は、カードワイヤを製造するための回転式打ち抜き加工を可能にするために、アンダーカット部分の各点で、後方角の最大値よりも大きく、かつ、先端角の最小値よりも小さい。
【００２４】
好適な一実施形態において、前方部は、少なくとも３つの部分を含む。第１の部分は、歯の前記先端部分からリブ部の方向に延びる。第２の部分は、第１の部分の下方でリブ部の方向に延びる。第２の部分は、アンダーカット部分を有している。第２の部分は、直線部と曲線部を含む。直線部は、０．１０ｍｍの最小長さを有し、また、直線部は、カードワイヤの長手方向に対して１０度と３０度の間の角度を有する。直線部にはリブ部の方向に曲線部が続いており、曲線部は、少なくとも０．１８ｍｍの半径を有する。前方部は、第２の部分から相互接続部分までの第３の部分を含む。
【００２５】
好適な一実施形態において、アンダーカット部分は、金属製カードワイヤの前方部の凸部の底部である。好ましくは、この金属製カードワイヤは、金属製カードワイヤの後方部に凸部を有する。
【００２６】
上述した任意の実施形態において、好ましくは、凸部を含むものであってもよい。好ましくは、この凸部は、構造要素よりも、歯の先端部分から遠い距離に位置する。
【００２７】
上述した任意の実施形態において、歯の両側面のうちの１つまたは両方は、アンダーカット部分の高さ及び／またはアンダーカット部分の下方に、１つまたは複数の追加の構造要素を含む。好ましくは、１つまたは複数の追加の構造要素は、カードワイヤの長手方向に沿った溝部及び／または隆起部から選択されるか、またはカードワイヤの長手方向に沿った溝部及び／または隆起部の組み合わせである。
【００２８】
好適な一実施形態において、歯の側面は、その表面にわたって、研磨粒子を用いたブラスト加工によって生じるような艶消しの外観を有する。この特徴は、上述した任意の実施形態と組み合わせることができる。この実施形態の特徴は、構造要素の位置が、アンダーカット部分の位置と比較して、よりカードワイヤの先端部分に近いという特徴と相乗効果を奏し、構造要素の機能性を改善する。このような艶消しの外観は、例えば、研磨粒子（例えば、砂）を用いたカードワイヤのブラスト加工によって達成することができる。
【００２９】
本発明の一実施形態において、歯の側面は、その表面にわたって、０．２μｍと０．３３μｍの間の表面粗さ値Ｒａを有する。表面粗さ値Ｒａは、認定された標準の試験方法に準拠した表面粗さ測定において決定され、この測定は、０．５ｍｍ／ｓの移動速度（測定速度）で実施される。表面粗さ値Ｒａは、輪郭曲線の平均線からの偏差の算術平均である。この特徴は、構造要素の位置が、アンダーカット部分の位置と比較して、よりカードワイヤの先端部分に近いという特徴と相乗効果を奏し、構造要素の機能性を改善する。このような表面粗さ値は、例えば、研磨粒子（例えば、砂）を用いたカードワイヤのブラスト加工によって達成することができる。
【００３０】
好適な一実施形態において、歯の先端の厚みは、０．２５ｍｍよりも小さく、好ましくは、０．２０ｍｍよりも小さい。
【００３１】
各実施形態において、好ましくは、金属製カードワイヤの長さにわたる全ての歯は、実質的に同様のものである。
【図面の簡単な説明】
【００３２】
【図１】図１は、本発明に従う金属製カードワイヤを長手方向に沿って示す図である。
【図２】図２は、図１に示すカードワイヤの断面図である。
【図３】図３は、本発明に従う金属製カードワイヤの断面の別の例を示す図である。
【図４】図４は、本発明に従う金属製カードワイヤの断面の別の例を示す図である。
【図５】図５は、本発明に従うカードワイヤの歯の別の例を示す図である。
【図６】図６は、本発明に従うカードワイヤの歯の別の例を示す図である。
【発明を実施するための形態】
【００３３】
各図中、同じ参照番号は同じ物体を示している。図１は、本発明に従う金属製カードワイヤ１００を長手方向に沿って示す図である。図２は、図１に示すカードワイヤの断面図である。この金属製カードワイヤは、リブ部１１０と複数の歯１１５とを含む。歯１１５は、先端部分１１７、前方部１２０、後方部１３０、２つの側面１４１、１４２、及び相互接続部分１５０を有する。相互接続部分１５０は、１つの歯の後方部１３０を直前の歯の前方部１２０に接続する。
【００３４】
前方部１２０は、アンダーカット部分１６０を含む。アンダーカット部分１６０は、カードワイヤ１００の前方部１２０の一部分であり、アンダーカット部分１６０中の、前方部に対する接線とカードワイヤの長手方向との間の角γは、アンダーカット部分と先端部分１１７との間の領域中の、カードワイヤの前方部に対する接線とカードワイヤの長手方向との間の角εよりも小さい。歯の１つの側面１４１は、リブ部１１０と平行な長手方向の溝部１７４を含む。溝部１７４の位置は、アンダーカット部分１６０の位置と比較して、より先端部分１１７に近い。溝部１７４の深さは、最も深い点において、歯の側面１４０の平面から、例えば０．０６ｍｍである。好適な一実施形態では、この溝部は、その最も深い部分において、略平坦な部分を有する。歯１１５は、２つの更なる長手方向の溝部１９５、１９６を有する。１つの更なる長手方向の溝部１９５は、アンダーカット部分１６０の高さに位置し、１つの更なる長手方向の溝部１９６は、アンダーカット部分１６０の下方に位置する。
【００３５】
図１に例示したカードワイヤ１００の後方部１３０は、カードワイヤ１００の長手方向と後方角βをなす接線を有する。アンダーカット部分１６０の上方の領域は、カードワイヤ１００の長手方向と先端角μをなす接線を有する。アンダーカット部分は、繊維を保持する機能を有する。アンダーカット部分は、カードワイヤの長手方向との間の角γであるアンダーカット角γをなす接線を有する。回転式打ち抜き加工を可能にするために、アンダーカット部分の各点におけるアンダーカット角γは、後方角βの最大値よりも大きく、先端角μの最小値よりも小さい。先端における歯の厚みＡは、例えば０．２５ｍｍまたは例えば０．２０ｍｍである。一例として、後方角βの最大値は２０°、アンダーカット角γは３５°であり、また、先端角μの最小値は５０°に等しい。
【００３６】
図３には、本発明に従う金属製カードワイヤの別の断面の例が示されている。両方の側面１４１、１４２が、アンダーカット部分１６０と先端部分１１７との間に、長手方向の溝部１７４を備えている。任意選択で、歯は、例えば、アンダーカット部分１６０の高さ及び／アンダーカット部分１６０の下方に、長手方向の溝部１９５をさらに備えるものであってもよい。
【００３７】
図４に示す本発明の金属製カードワイヤの断面に示されるように、歯の１つまたは複数の溝部は、長手方向の隆起部と置き換えられるものであってもよい。１つの側面１４１は、アンダーカット部分１６０と先端部分１１７との間に、長手方向の隆起部１７５を備えている。任意選択で、歯は、例えば、アンダーカット部分１６０の高さに長手方向の隆起部１９７をさらに備えるものであってもよい。１つまたは複数の隆起部を、アンダーカット部分１６０の下方に備えること、及び／または、両方の側面に備えることも可能である。さらに／または、隆起部と溝部との組み合わせを備えることも可能である。
【００３８】
図５には、本発明に従うカードワイヤの歯の一例が示されている。この歯では、その両側面のうちの１つの側面１４１の、アンダーカット部分１６１の上方に、窪み部１７６を備えている。尚、このカードワイヤでは、アンダーカット部分１６１は、カードワイヤの長手方向と平行であるが、任意の他の種類のアンダーカット部分であってもよい。
【００３９】
図６には、本発明に従うカードワイヤの歯の一例が示されている。この歯では、その両側面のうちの１つの側面１４１の、アンダーカット部分１６１の上方に、長手方向の溝部１７４を備えている。尚、このカードワイヤでは、アンダーカット部分１６１は、金属製カードワイヤの前方部１２０の凸部１９２の底部であるが、任意の他の種類のアンダーカット部分であってもよい。任意選択で、歯は、カードワイヤの後方部１３０に凸部１９３を有するものであってもよい。任意選択で、歯、凸部１９２の高さに、長手方向の溝部１９５を有するものであってもよい。
【００４０】
上述したカードワイヤの例のそれぞれは、歯の側面（あるいは、カードワイヤの側面）が、その表面にわたって、研磨粒子を用いたブラスト加工によって生じるような艶消しの外観を備えるように処理されるものであってもよい。さらに／または、上述したカードワイヤの例のそれぞれは、歯の側面（あるいは、カードワイヤの側面）が、その表面にわたって０．２μｍと０．３３μｍの間の表面粗さ値Ｒａを有するように処理されるものであってもよい。このような表面は、該当の技術分野で周知のように、研磨粒子を用いたブラスト加工により達成することができる。
【図１】
2017519116.tif 000003
【図２】
2017519116.tif 000004
【図３】
2017519116.tif 000005
【図４】
2017519116.tif 000006
【図５】
2017519116.tif 000007
【図６】
2017519116.tif 000008
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
リブ部（１１０）と複数の歯（１１５）とを含み、
前記歯は、先端部分（１１７）、前方部（１２０）、後方部（１３０）、２つの側面（１４１、１４２）、及び相互接続部分（１５０）を有し、
前記相互接続部分（１５０）は、１つの歯の後方部（１３０）と直前の歯の前方部（１２０）とを接続し、
前記先端部分（１１７）で前記前方部（１２０）と前記後方部（１３０）とが合併し、
前記歯（１１５）は、カードワイヤ（１００）の長手方向に傾いており、
前記前方部（１２０）は、カードワイヤ（１００）の長手方向に向かって歯（１１５）が傾く側であり、
前記前方部（１２０）は、アンダーカット部分（１６０）を含み、
前記アンダーカット部分（１６０）は、カードワイヤ（１００）の前記前方部（１２０）の一部分であり、前記アンダーカット部分中の、前記前方部（１２０）に対する接線とカードワイヤ（１００）の長手方向との間の角度（γ）は、前記アンダーカット部分（１６０）と前記先端部分（１１７）との間の領域中の、カードワイヤ（１００）の前記前方部（１２０）に対する接線とカードワイヤ（１００）の長手方向との間の角度（ε）よりも小さく、
前記歯（１１５）の少なくとも１つの側面（１４１、１４２）は、前記歯（１１５）の側面（１４１、１４２）に対する繊維の摩擦力を増大させるための少なくとも第１の構造要素（１７４、１７５、１７６、１９５、１９６）を含み、少なくとも第１の構造要素（１７４、１７５、１７６）の位置は、第１の前記アンダーカット部分（１６０）の位置と比較して、より前記先端部分（１１７）に近い、ことを特徴とする金属製カードワイヤ（１００）。
【請求項２】
少なくとも第１の構造要素（１７４、１７６）は、前記歯（１１５）の側面（１４１、１４２）中の窪み部を含むことを特徴とする請求項１に記載の金属製カードワイヤ（１００）。
【請求項３】
前記窪み部は、溝部であることを特徴とする請求項２に記載の金属製カードワイヤ（１００）。
【請求項４】
前記窪み部の最大深さは、０．０３ｍｍよりも深いことを特徴とする請求項２または３に記載の金属製カードワイヤ（１００）。
【請求項５】
少なくとも第１の構造要素（１７５）は、前記歯の側面（１４１）からの１つまたは複数の突出部を含むことを特徴とする請求項１から４のいずれか１項に記載の金属製カードワイヤ（１００）。
【請求項６】
前記突出部は、隆起部であることを特徴とする請求項５に記載の金属製カードワイヤ（１００）。
【請求項７】
前記突出部の最大高さは、０．０３ｍｍよりも高いことを特徴とする請求項５または６に記載の金属製カードワイヤ（１００）。
【請求項８】
前記後方部（１３０）は、カードワイヤ（１００）の長手方向と後方角（β）をなす接線を有し、
前記前方部の前記アンダーカット部分（１６０）の上方の領域は、カードワイヤ（１００）の前記前方部（１２０）に対する接線とカードワイヤ（１００）の長手方向との間の角（ε）を有し、前記リブ部（１１０）と先端角（μ）をなし、
前記アンダーカット部分（１６０）は、繊維を保持する機能を有し、
前記アンダーカット部分（１６０）は、前記前方部（１２０）に対する接線とカードワイヤ（１００）の長手方向との間の角（γ）を有し、カードワイヤの長手方向（１００）とアンダーカット角（γ）をなし、
前記アンダーカット角（γ）は、回転式打ち抜き加工を可能にするために、前記アンダーカット部分（１６０）の各点で、前記後方角（β）の最大値よりも大きく、かつ、前記先端角（μ）の最小値よりも小さい、ことを特徴とする請求項１から７のいずれか１項に記載の金属製カードワイヤ（１００）。
【請求項９】
前記前方部（１２０）は、少なくとも３つの部分を含み、
第１の部分は、前記歯（１１５）の前記先端部分（１１７）から前記リブ部（１１０）の方向に延び、
第２の部分は、前記第１の部分の下方で前記リブ部（１１０）の方向に延び、前記第２の部分は、前記アンダーカット部分（１６０）を有し、
前記第２の部分は、直線部と曲線部を含み、前記直線部は、０．１０ｍｍの最小長さを有し、前記直線部は、カードワイヤの長手方向に対して１０度と３０度の間の角度を有し、前記直線部には前記リブ部の方向に前記曲線部が続いており、前記曲線部は、少なくとも０．１８ｍｍの半径を有し、
前記前方部（１２０）は、前記第２の部分から前記相互接続部分（１５０）までの第３の部分を含む、ことを特徴とする請求項１から７のいずれか１項に記載の金属製カードワイヤ（１００）。
【請求項１０】
前記アンダーカット部分（１６１）は、金属製カードワイヤ（１００）の前記前方部（１２０）の凸部（１９２）の底部であることを特徴とする請求項１から７のいずれか１項に記載の金属製カードワイヤ（１００）。
【請求項１１】
前記後方部（１３０）は、凸部（１９３）を含むことを特徴とする請求項１から１０のいずれか１項に記載の金属製カードワイヤ（１００）。
【請求項１２】
前記歯（１１５）の一方または両方の側面（１４１、１４２）は、前記アンダーカット部分（１６０、１６１）の高さ及び／または前記アンダーカット部分（１６０、１６１）の下方に、１つまたは複数の追加の構造要素（１９５、１９６、１９７）を含むことを特徴とする請求項１から１１のいずれか１項に記載の金属製カードワイヤ（１００）。
【請求項１３】
前記歯（１１５）の側面（１４１、１４２）は、その表面にわたって、研磨粒子を用いたブラスト加工によって生じるような艶消しの外観を有することを特徴とする請求項１から１２のいずれか１項に記載の金属製カードワイヤ（１００）。
【請求項１４】
前記歯の側面（１４１、１４２）は、その表面にわたって、０．２μｍと０．３３μｍの間の表面粗さ値Ｒａを有することを特徴とする請求項１から１３のいずれか１項に記載の金属製カードワイヤ（１００）。
【請求項１５】
前記歯（１１５）の先端の厚みは、０．２５ｍｍよりも小さいことを特徴とする請求項１から１４のいずれか１項に記載の金属製カードワイヤ（１００）。
【国際調査報告】
2017519116.tif 000009
2017519116.tif 000010
2017519116.tif 000011